(57)【要約】【課題】  食品容器等の開口部に封止されているシールを、少ない力で容易に、且つ確実に開封することができる容器シール開封具を提供すること。【解決手段】本考案の容器シール開封具１は、把持部１０と挟持部２０、および前記把持部１０と挟持部２０の間に具備された付勢バネ２を備え、前記挟持部２０にシール押圧具４を装着した。前記シール押圧具４は半円筒状に形成され、挟持部幅より幅広状に形成されている。  また、前記挟持部２０にシール挟持部３０を備えた。【選択図】図１
0003195163.tif 000002
【実用新案登録請求の範囲】
【請求項１】
把持部と挟持部、および把持部と挟持部の間に具備された付勢バネを備える容器シール開封具であって、前記把持部にシール押圧具を装着したことを特徴とする容器シール開封具。
【請求項２】
前記シール押圧具は半円筒状に形成されている請求項１記載の容器シール開封具。
【請求項３】
前記シール押圧具は、挟持部幅より幅広状に形成されている請求項１または２に記載の容器シール開封具。
【請求項４】
前記挟持部にシール挟持部を備えた請求項１乃至３の何れか１項に記載の容器シール開封具。
【請求項５】
前記シール挟持部は、挟持部に形成された凹部と、凹部内に配設させた弾性部材を備える請求項４記載の容器シール開封具。
【請求項６】
前記凹部の後部に、挟持部よりも嵩高の保持部を備える請求項４又は５記載の容器シール開封具。
【考案の詳細な説明】
【技術分野】
【０００１】  本考案は、食品容器等の開口部に封止されているシールを、容易に、且つ確実に開封することができる容器シール開封具に関する。
【背景技術】
【０００２】  一般的に、コーヒーミルクやガムシロップ等を収容したポーションタイプの小分け容器や、ゼリーやヨーグルトを収容したプラスチック容器には、開口部にシール状の蓋が封止されている。【０００３】  容器に封止されているシール状の蓋を開封するには、突出したシールの先端を指で摘み、開封方向に引き上げる必要がある。しかしながら、指でシール先端を引き上げ開封するには強い力を要する。そのため、力の弱い子供や女性、また高齢者には非常に困難な作業となった。【０００４】  そのため、上記問題を解決する先行技術として、食品用簡易容器の開口部を封緘するために接着される蓋材を容易に開封でき、また、食品用簡易容器を包装する包装材を容易に破り取れるようにする食品用簡易容器の開封補助シールがある（例えば特許文献１参照）。
上掲特許文献１の食品用簡易容器の開封補助シールは、一方の面に粘着面を有するシール基材からなり、食品用簡易容器の開口を封緘する蓋材または前記食品用簡易容器を包装する包装材に貼着される貼着部と、貼着部により延設される摘み部とを有することを特徴とする。
【先行技術文献】
【特許文献】
【０００５】
【特許文献１】特開２００４−１６１３３１号公報
【考案の概要】
【考案が解決しようとする課題】  しかしながら、特許文献１の食品用簡易容器の開封補助シールは、貼着部を容器のシールに貼り付けて剥がすものである。そのため、一度使用したら廃棄する使い捨てタイプであり非経済的であった。また、摘み部を引っぱりながらシールを剥がすため、力の弱い子供や女性には問題が残った。【０００６】  そこで本考案は上記の点に鑑み、食品容器等の開口部に封止されているシールを、少ない力で容易に、且つ確実に開封することができる容器シール開封具を提供することにある。
【解決を解決するための手段】
【０００７】  上記課題を解決するために本考案の容器シール開封具は、把持部と挟持部、および把持部と挟持部の間に具備された付勢バネを備える容器シール開封具であって、前記把持部にシール押圧具を装着したことを特徴とする。
【０００８】  また、前記シール押圧具は半円筒状に形成されている。
【０００９】  また、前記シール押圧具は挟持部幅より幅広状に形成されている。
【００１０】  また、前記挟持部にシール挟持部を備えた。
【００１１】  また前記シール挟持部は、挟持部に形成された凹部と、凹部内に配設させた弾性部材を備える。
【００１２】  さらに前記凹部の後部に、挟持部よりも嵩高の保持部を備える。
【考案の効果】
【００１３】  本考案の容器シール開封具は、挟持部に半円筒状のシール押圧具を装着したことにより、食品容器等の開口部に封止されているシールを、少ない力で容易に、且つ確実に開封することができる。
【００１４】  また、シール押圧具を挟持部幅より幅広状に形成したことで、さまざまな大きさの容器に貼着されているシールを確実に開封することができる。
【００１５】  さらに、挟持部にシール挟持部を備えたことにより、シールの保持力を向上させることができて確実に開封することができる。
【図面の簡単な説明】
【００１６】
【図１】本考案における容器シール開封具の全体斜視図である。
【図２】前記容器シール開封具の側面図である。
【図３】前記容器シール開封具の使用状態の側面図である。
【図４】一部を断面した容器シール開封具の使用状態の側面図である。
【図５】一部を断面した容器シール開封具の使用状態の拡大図である。
【図６】シール先端を挟持した状態の拡大図である。
【図７】容器シール開封具を上部に移行した状態である。
【図８】容器シール開封具をさらに移行した状態である。
【図９】容器シール開封具をさらに移行し、シールを剥がした状態である。
【考案を実施するための形態】
【００１７】  本考案の容器シール開封具は、食品容器等の開口部に封止されているシールを、少ない力で容易に、且つ確実に開封することを特徴とするものである。
以下、本考案の容器シール開封具における実施の形態を図面に基づいて説明する。
【００１８】  図示する容器シール開封具１は、把持部１０と挟持部２０、および把持部１０と挟持部２０の間に具備された付勢バネ２を備えるものであり、前記挟持部２０にシール押圧具４を装着したことを特徴とする。
【００１９】  把持部１０は、図１乃至図４に示すように、上部把持部１０ａと下部把持部１０ｂとからなり、上部把持部１０ａ，下部把持部１０ｂとの間であって、把持部１０と挟持部２０の間には、付勢バネ２が装着されている。
【００２０】  前記付勢バネ２の一端２ａは上部把持部１０ａの凹溝３ａに、他端２ｂは下部把持部１０ｂの凹溝３ｂに夫々嵌入されている。そのことにより、上部把持部１０ａと下部把持部１０ｂを保持できるとともに、付勢バネ２の付勢力により挟持部２０を挟持させることができる。
【００２１】  前記把持部１０の先端に連接されている挟持部２０は、容器４０のシール４１の先端部分を挟持するもので、上部挟持部２０ａと下部挟持部２０ｂとからなる。また、上部挟持部２０ａの上部先端にはシール押圧具４が具備されている。
【００２２】  前記シール押圧具４は湾曲の半円筒状に形成されている。そのため、図７乃至図９に示すように、挟持部２０にて容器４０のシール４１先端を挟持し、把持部１０を開封方向に回動させることで、シール４１を湾曲部５に沿って剥離することができる。
【００２３】  前記シール押圧具４は、図１に示すように、挟持部２０の幅より幅広状に形成されている。また湾曲部５は、カップ容器４０の周囲との接点にかかわるため、中央に向かい接点が広がるとともに湾曲部５の接点も広がる。そのことにより、小径のコーヒーミルクやガムシロップ等を収容したポーションタイプの容器や、ゼリーやヨーグルトを収容した中径の容器、さらにはカップ麺等の大径容器のシール開封にも自在に対応できる。なお、前記シール押圧具４は、半円筒状に形成されるに限らず、半円柱状に形成してもよい。
【００２４】  シール挟持具３０は、挟持部２０に備えられているものであり、図５及び図６に示すように、容器４０のシール４１を挟む上部挟持部２０ａと下部挟持部２０ｂと、下部挟持部２０ｂの後方に形成された凹部３１と、凹部３１内に配設された弾性部材３２とからなる。
【００２５】  前記弾性部材３２は合成ゴム等の弾性を有する素材で形成されており、下部は凹部３１内に固定されている。また、前記弾性部材３２の上部はやや湾曲状に形成されている。弾性部材３２の上部を湾曲状に形成することで、図６に示すように、上部挟持部２０ａと下部挟持部２０ｂとの噛合が容易になるとともに、シール４１を挟んだ際、弾性部材３２の上部が自在に変形し、シール４１を確実に保持することができる
【００２６】  また、前記弾性部材３２を合成ゴム等の弾性を有する素材で形成することにより、滑り止め特性も得られ、シール４１を剥がす際、シール挟持具３０からシール４１が滑り抜けることを防ぐことができる。
【００２７】  また、凹部３１の後方には保持部３３が形成されている。保持部３３は弾性部材３２を保持固定するもので、下部挟持部２０ｂよりやや嵩高に形成されている。凹部２１の後方に保持部３３を形成することで、図６に示すように、容器４０のシール４１を挟んだ際、弾性部材３２の上部及び保持部３３の上部と、上部挟持部２０ａの底面にてシール４１を保持することができる。
【００２８】  次に、本考案の容器シール開封具１の使用方法の詳細を図７乃至図９に基づいて説明する。
【００２９】  図７は、上部挟持部２０ａと下部挟持部２０ｂとで容器４０のシール４１を挟んだ状態を示す。この際、シール４１は、弾性部材３２の上部及び保持部３３の上部と、上部挟持部２０ａの底面との間に配設される。
【００３０】  この状態で、図８に示すように、把持部１０を矢印方向に回動させる。この際シール４１は、シール挟持具３０にて強固に挟持されているので、抜け落ちる可能性は少ない。
【００３１】  図９は、把持部１０をさらに先方に回動させた状態を示す。把持部１０をさらに回動させると、シール押圧具４の湾曲部５を支点としたスムーズな移動により、シール４１が剥がされて、容器４０に開口部４２が形成される。容器４０に開口部４２が形成された後、容器内の収容物を注ぎ出す。
【００３２】  本考案の容器シール開封具１は、上述の構成とすることで、挟持部２０に半円柱状のシール押圧具４を装着したことにより、食品容器等の開口部４２に封止されているシール４１を、少ない力で容易に、且つ確実に開封することができる。また小さい容器から大きい容器まで、サイズの異なるさまざまな容器に対応できる。
【００３３】  また、シール押圧具４を挟持部２０幅より幅広状に形成したことで、さまざまな大きさの容器に貼着されているシールを確実に開封することができる。
【００３４】  さらに、挟持部２０にシール挟持部３０を備えることにより、シールの保持力を向上させることができ、シール挟持部３０からシール４１が抜け落ちることを軽減できる。
【符号の説明】
【００３５】１    容器シール開封具
２    付勢バネ
３ａ  凹溝
３ｂ  凹溝
４    シール押圧具
５    湾曲部
１０  把持部
１０ａ  上部把持部
１０ｂ  下部把持部
２０  挟持部
２０ａ  上部挟持部
２０ｂ  上部挟持部
３０  シール挟持具
３１  凹部
３２  弾性部材
３３  保持部
４０  容器
４１  シール
４２  開口部
【図１】
0003195163.tif 000003
【図２】
0003195163.tif 000004
【図３】
0003195163.tif 000005
【図４】
0003195163.tif 000006
【図５】
0003195163.tif 000007
【図６】
0003195163.tif 000008
【図７】
0003195163.tif 000009
【図８】
0003195163.tif 000010
【図９】
0003195163.tif 000011